(57)【要約】本発明の一つの態様のモータは、上下方向に伸びる中心軸に沿って配置されるシャフトと、シャフトに取り付けられるロータアセンブリと、ロータアセンブリと隙間を介して径方向に対向するステータと、ステータと電気的に接続される複数のバスバーと、を備え、バスバーは、第１バスバーと、第２バスバーと、を含み、第１バスバーは、第２バスバーの上側に配置される上側配置部を有し、第２バスバーは、上側配置部と軸方向に重なる位置に、下側に窪むバスバー凹部を有する。
2017026413.tif 000002
【特許請求の範囲】
【請求項１】
上下方向に伸びる中心軸に沿って配置されるシャフトと、
前記シャフトに取り付けられるロータアセンブリと、
前記ロータアセンブリと隙間を介して径方向に対向するステータと、
前記ステータと電気的に接続される複数のバスバーと、
を備え、
前記バスバーは、第１バスバーと、第２バスバーと、を含み、
前記第１バスバーは、前記第２バスバーの上側に配置される上側配置部を有し、
前記第２バスバーは、前記上側配置部と軸方向に重なる位置に、下側に窪むバスバー凹部を有する、モータ。
【請求項２】
前記第１バスバーは、周方向に延びる第１バスバー本体部と、前記第１バスバー本体部から径方向に延びる第１接続端子部と、を有し、
前記第２バスバーは、周方向に延びる第２バスバー本体部と、前記第２バスバー本体部から径方向に延びる第２接続端子部と、を有し、
前記第１バスバー本体部および前記第２バスバー本体部は、前記中心軸と直交する平面に沿って配置される、請求項１に記載のモータ。
【請求項３】
前記第１バスバー本体部と前記第２バスバー本体部とは、軸方向において、同じ位置にある、請求項２に記載のモータ。
【請求項４】
前記第１バスバー本体部と前記第２バスバー本体部とは、径方向に並び、
前記上側配置部は、前記第１接続端子部の少なくとも一部であり、
前記バスバー凹部は、前記第２バスバー本体部に配置される、請求項２または３に記載のモータ。
【請求項５】
前記第２バスバー本体部は、前記バスバー凹部と軸方向に重なる位置に、下側に突出するバスバー凸部を有する、請求項４に記載のモータ。
【請求項６】
前記バスバーを保持するバスバーホルダを備え、
前記バスバーホルダは、下側に窪むホルダ凹部を有し、
前記バスバー凸部の少なくとも一部は、前記ホルダ凹部内に配置される、請求項５に記載のモータ。
【請求項７】
前記バスバーホルダは、前記ホルダ凹部と軸方向に重なる位置に、下側に突出するホルダ凸部を有する、請求項６に記載のモータ。
【請求項８】
前記バスバーを保持するバスバーホルダを備え、
前記バスバーホルダは、前記バスバーホルダを軸方向に貫通するホルダ貫通孔を有し、
前記バスバー凸部の少なくとも一部は、前記ホルダ貫通孔内に配置される、請求項５に記載のモータ。
【請求項９】
前記第２バスバー本体部の周方向と直交する断面の面積は、前記バスバー凹部が配置される部分、および前記バスバー凹部の周方向両側に配置される部分において、一様である、請求項４から８のいずれか一項に記載のモータ。
【請求項１０】
前記上側配置部は、前記バスバー凹部よりも上側に配置される、請求項４から９のいずれか一項に記載のモータ。
【請求項１１】
前記上側配置部の少なくとも一部は、前記バスバー凹部内に配置される、請求項４から９のいずれか一項に記載のモータ。
【請求項１２】
前記上側配置部の全体は、前記バスバー凹部内に配置される、請求項１１に記載のモータ。
【請求項１３】
前記ステータは、複数のコイルを有し、
前記コイルは、導電線の端部であるコイル端を有し、
前記第１接続端子部は、前記第１バスバー本体部から径方向に延びる第１延出部と、前記第１延出部の径方向の端部に配置され前記コイル端と接続される第１接続部と、を有し、
前記第２接続端子部は、前記第２バスバー本体部から径方向に延びる第２延出部と、前記第２延出部の径方向の端部に配置され前記コイル端と接続される第２接続部と、を有し、
前記上側配置部は、前記第１延出部の少なくとも一部である、請求項４から１２のいずれか一項に記載のモータ。
【請求項１４】
前記第１接続部と前記第２接続部とは、軸方向において、同じ位置にある、請求項１３に記載のモータ。
【請求項１５】
前記第２バスバー本体部における前記バスバー凹部が配置される部分は、湾曲する、請求項４から１４のいずれか一項に記載のモータ。
【発明の詳細な説明】
【技術分野】
【０００１】
本発明は、モータに関する。
【背景技術】
【０００２】
従来、複数のバスバーを有するモータが知られている。例えば、特許文献１に開示されているモータでは、複数のバスバーは、絶縁保持部材に所定間隔を置いて同心円上にそれぞれ形成された円環溝内に、挿入される。
【先行技術文献】
【特許文献】
【０００３】
【特許文献１】特開２０１０−１４１９５３号公報
【発明の概要】
【発明が解決しようとする課題】
【０００４】
上記のようなモータにおいて、例えば、各バスバーのコイル接続部のフック部を同一円周上に配置する場合、あるバスバーのコイル接続部を、他のバスバーの上側を通して配置する必要が生じることがある。  【０００５】
特許文献１に開示されている構造においては、あるバスバーのコイル接続部に上側に延びる起立部が設けられ、コイル接続部が上側に延びることにより、あるバスバーと他のバスバーとの絶縁を確保することができる。しかし、この構成では、起立部が設けられた分だけ、バスバーの軸方向の寸法が長くなり、結果としてモータ全体が軸方向に長くなり、大型化しやすい問題があった。  【０００６】
本発明の一つの態様は、上記問題点に鑑みて、軸方向に大型化することを抑制しつつ、複数のバスバー間の絶縁を確保できる構造を有するモータを提供することを目的の一つとする。
【課題を解決するための手段】
【０００７】
本発明の一つの態様のモータは、上下方向に伸びる中心軸に沿って配置されるシャフトと、前記シャフトに取り付けられるロータアセンブリと、前記ロータアセンブリと隙間を介して径方向に対向するステータと、前記ステータと電気的に接続される複数のバスバーと、を備え、前記バスバーは、第１バスバーと、第２バスバーと、を含み、前記第１バスバーは、前記第２バスバーの上側に配置される上側配置部を有し、前記第２バスバーは、前記上側配置部と軸方向に重なる位置に、下側に窪むバスバー凹部を有する。
【発明の効果】
【０００８】
本発明の一つの態様によれば、モータにおいて、軸方向に大型化することを抑制しつつ、複数のバスバー間の絶縁を確保できる。
【図面の簡単な説明】
【０００９】
【図１】図１は、本実施形態のモータを示す断面図である。
【図２】図２は、本実施形態の下側バスバーアッシーを示す平面図である。
【図３】図３は、本実施形態の下側バスバーアッシーの一部を示す斜視図である。
【図４】図４は、本実施形態の下側バスバーアッシーの一部を示す断面図である。
【図５】図５は、本実施形態の他の一例である下側バスバーアッシーの一部を示す断面図である。
【図６】図６は、本実施形態の他の一例である下側バスバーアッシーの一部を示す断面図である。
【発明を実施するための形態】
【００１０】
以下、図面を参照しながら、本発明の実施形態に係るモータについて説明する。本明細書では、上下方向に伸びる中心軸Ｊの軸方向における図１の上側を単に「上側」と呼び、下側を単に「下側」と呼ぶ。なお、上下方向は、実際の機器に組み込まれたときの位置関係や方向を示さない。また、中心軸Ｊに平行な方向を「軸方向」と呼び、中心軸Ｊを中心とする径方向を単に「径方向」と呼び、中心軸Ｊを中心とする周方向を単に「周方向」と呼ぶ。  
【００１１】
本明細書において、「軸方向に延びる」とは、厳密に軸方向に延びる場合に加えて、軸方向に対して、４５°未満の範囲で傾いた方向に延びる場合も含む。本明細書において、「径方向に延びる」とは、厳密に径方向、すなわち、軸方向に対して垂直な方向に延びる場合に加えて、径方向に対して、４５°未満の範囲で傾いた方向に延びる場合も含む。  
【００１２】
図１に示すように、本実施形態では、モータ１０は、インナーロータ型のモータである。モータ１０は、ハウジング２０と、ロータ３０と、筒状のステータ４０と、ベアリングホルダ５０と、ハウジング２０に保持される下ベアリング６０と、ベアリングホルダ５０に保持される上ベアリング６１と、下側バスバーアッシー７０と、上側バスバーアッシー８０と、端子９２Ａ，９２Ｂと、を備える。ハウジング２０は、各部品を内部に収容可能である。  
【００１３】
ロータ３０は、中心軸Ｊに沿って配置されるシャフト３１と、第１ロータコア３３Ａと、第２ロータコア３３Ｂと、第３ロータコア３３Ｃと、第１マグネット３４Ａと、第２マグネット３４Ｂと、第３マグネット３４Ｃと、を有する。シャフト３１は、下ベアリング６０および上ベアリング６１によって中心軸Ｊ周りに回転可能に支持される。ロータ３０は、ステータ４０の径方向内側において、ステータ４０に対して回転可能である。言い換えると、ステータ４０はロータ３０を囲う。  
【００１４】
第１ロータコア３３Ａ、第２ロータコア３３Ｂ、および第３ロータコア３３Ｃは、筒状である。第１ロータコア３３Ａと、第２ロータコア３３Ｂと、第３ロータコア３３Ｃとは、軸方向の下側から上側に向かって、この順で並ぶ。本実施形態において、第１ロータコア３３Ａの内側面、第２ロータコア３３Ｂの内側面、および第３ロータコア３３Ｃの内側面は、中心軸Ｊを中心とする円筒状である。シャフト３１には、１ロータコア３３Ａ、第２ロータコア３３Ｂ、および第３ロータコア３３Ｃに、例えば圧入等により嵌め合わされることにより、固定される。なお、シャフト３１は、第１ロータコア３３Ａ、第２ロータコア３３Ｂ、および第３ロータコア３３Ｃに、他の部材を介して間接的に固定されてもよい。  
【００１５】
本実施形態において、第１マグネット３４Ａ、第２マグネット３４Ｂ、および第３マグネット３４Ｃは、周方向に延びる板状である。第１マグネット３４Ａは、第１ロータコア３３Ａの外側面に固定される。第２マグネット３４Ｂは、第２ロータコア３３Ｂの外側面に固定される。第３マグネット３４Ｃは、第３ロータコア３３Ｃの外側面に固定される。  
【００１６】
第１マグネット３４Ａ、第２マグネット３４Ｂ、および第３マグネット３４Ｃは、それぞれ周方向に沿って複数設けられる。なお、第１マグネット３４Ａ、第２マグネット３４Ｂ、および第３マグネット３４Ｃは、それぞれ単一部材であってもよい。この場合、第１マグネット３４Ａ、第２マグネット３４Ｂ、および第３マグネット３４Ｃは、例えば、円環状である。  
【００１７】
ステータ４０は、ロータ３０と、隙間を介して径方向に対向する。ステータ４０は、ロータ３０の径方向外側に配置される。ステータ４０は、ステータコア４０ａと、複数のコイル４３と、複数のインシュレータ４４と、を有する。ステータコア４０ａは、例えば、複数の電磁鋼板が積層されて構成される。ステータコア４０ａは、周方向に延びる環状のコアバック４１と、コアバック４１から径方向に延びる複数のティース４２と、を有する。すなわち、ステータ４０は、コアバック４１と、ティース４２と、を備える。  
【００１８】
本実施形態において、コアバック４１は、中心軸Ｊを中心とした円環状である。コアバック４１の外周面は、ハウジング２０の内周面に、例えば圧入等により固定される。この実施形態では、複数のティース４２は、コアバック４１の内側面から径方向内側に延びる。複数のティース４２は、周方向に沿って等間隔に配置される。  
【００１９】
コイル４３は、インシュレータ４４を介してティース４２に巻き回された導電線４３ａより構成される。コイル４３は、各ティース４２に配置される。コイル４３は、導電線４３ａの端部であるコイル端４３ｂを有する。コイル端４３ｂは、コイル４３のティース４２に巻き回された部分から上側に延びる。インシュレータ４４の少なくとも一部は、ティース４２とコイル４３との間に配置される。インシュレータ４４は、ティース４２の少なくとも一部を覆う。  
【００２０】
下側バスバーアッシー７０は、略円筒状である。下側バスバーアッシー７０は、ステータ４０の上側に配置される。下側バスバーアッシー７０は、中性点バスバー９０と、中性点バスバー９０を保持する略円筒状の下側バスバーホルダ７１と、を有する。すなわち、モータ１０は、中性点バスバー９０と、下側バスバーホルダ７１と、を備える。  
【００２１】
本実施形態において、下側バスバーホルダ７１は、絶縁性を有する樹脂製である。下側バスバーホルダ７１は、インシュレータ４４に固定される。中性点バスバー９０は、コイル４３と電気的に接続される。より詳細には、中性点バスバー９０は、コイル端４３ｂと接続される。これにより、中性点バスバー９０は、ステータ４０と電気的に接続される。中性点バスバー９０は、複数のコイル端４３ｂを中性点として繋ぐ。  
【００２２】
上側バスバーアッシー８０は、略円筒状である。上側バスバーアッシー８０は、下側バスバーアッシー７０の上側に配置される。上側バスバーアッシー８０は、相用バスバー９１と、相用バスバー９１を保持する上側バスバーホルダ８１と、を有する。すなわち、モータ１０は、相用バスバー９１と、上側バスバーホルダ８１と、を備える。  
【００２３】
上側バスバーホルダ８１は、略円筒状である。本実施形態において、上側バスバーホルダ８１は絶縁性を有する樹脂製である。上側バスバーホルダ８１は、ハウジング２０に固定される。相用バスバー９１は、コイル４３と電気的に接続される。より詳細には、相用バスバー９１は、コイル端４３ｂと接続される。相用バスバー９１は、端子９２Ａ，９２Ｂと接続される。これにより、相用バスバー９１は、ステータ４０と電気的に接続される。  
【００２４】
端子９２Ａ，９２Ｂは、上側に延びる板状の部材である。端子９２Ａ，９２Ｂの上側の端部は、ハウジング２０の上側の端部よりも上側に配置される。端子９２Ａ，９２Ｂは、外部電源（図示省略）と接続される。  
【００２５】
図２に示すように、下側バスバーホルダ７１は、第１コイルサポート７２と、下側ホルダ筒部７３と、内側周壁部７４と、外側周壁部７５と、を有する。  
【００２６】
第１コイルサポート７２は、中心軸Ｊを中心とする略円環板状である。第１コイルサポート７２は、コイル４３の上側に位置する。第１コイルサポート７２は、コイル端４３ｂを支持する第１支持部７２ａを有する。そのため、コイル４３の導電線４３ａを、絶縁性を確保しつつ容易に這い回すことができる。  
【００２７】
第１支持部７２ａは、第１コイルサポート７２の内縁から径方向外側に窪む凹部である。第１支持部７２ａの内側には、コイル端４３ｂが通される。第１支持部７２ａの内側を通るコイル端４３ｂは、第１支持部７２ａの内側面によって周方向両側から支持される。  
【００２８】
下側ホルダ筒部７３は、中心軸Ｊを中心とする円筒状である。下側ホルダ筒部７３は、第１コイルサポート７２から上側に延びる。内側周壁部７４および外側周壁部７５は、周方向に延びる略環状である。内側周壁部７４は、下側ホルダ筒部７３よりも径方向内側に位置し、第１コイルサポート７２から上側に延びる。外側周壁部７５は、下側ホルダ筒部７３よりも径方向外側に位置し、第１コイルサポート７２から上側に延びる。  
【００２９】
下側バスバーホルダ７１は、下側に窪み周方向に延びる第１下側溝部７１ａおよび第２下側溝部７１ｂを有する。第１下側溝部７１ａは、下側ホルダ筒部７３と内側周壁部７４との径方向の間に位置する。第２下側溝部７１ｂは、下側ホルダ筒部７３と外側周壁部７５との径方向の間に位置する。  
【００３０】
中性点バスバー９０は、第１バスバー９０Ａと、第２バスバー９０Ｂと、を含む。第１バスバー９０Ａは、周方向に延びる第１バスバー本体部９０Ａａと、第１バスバー本体部９０Ａａから径方向に延びる第１接続端子部９８Ａと、を有する。  
【００３１】
第１バスバー本体部９０Ａａは、平面視で略環状である。第１バスバー本体部９０Ａａは、第１下側溝部７１ａ内に配置される。第１バスバー本体部９０Ａａは、第１下側溝部７１ａ内に嵌め込まれる。  
【００３２】
第１接続端子部９８Ａは、第１バスバー本体部９０Ａａから径方向外側に延びる。この実施形態では、第１バスバー９０Ａは、９つの第１接続端子部９８Ａを有する。第１接続
端子部９８Ａは、周方向に沿ってほぼ等間隔に並ぶ。  
【００３３】
第１接続端子部９８Ａは、第１延出部９６Ａと、第１接続部９７Ａと、を有する。すなわち、第１バスバー９０Ａは、第１延出部９６Ａと、第１接続部９７Ａと、を有する。  
【００３４】
第１延出部９６Ａは、第１バスバー本体部９０Ａａから径方向に延びる。第１接続部９７Ａは、第１延出部９６Ａの径方向の端部に配置され、コイル端４３ｂと接続される。  
【００３５】
図３に示すように、第１接続部９７Ａの形状は、Ｕ字状である。そのため、下側バスバーアッシー７０をステータ４０の上側に配置する際に、第１接続部９７Ａによってコイル端４３ｂを保持することができる。これにより、第１接続部９７Ａとコイル端４３ｂとを容易に接続することができる。  
【００３６】
第１接続部９７Ａは、下側に開口するＵ字状である。そのため、下側バスバーアッシー７０をステータ４０の上側に配置する際に、第１接続部９７Ａによってコイル端４３ｂを掴みやすい。より詳細には、下側バスバーアッシー７０をステータ４０の上側に配置する際に、第１接続部９７Ａによって後述する這回し線４５ｇを容易に掴むことができる。これにより、第１接続部９７Ａをコイル端４３ｂに容易に配置することができる。  
【００３７】
図２に示すように、第２バスバー９０Ｂは、周方向に延びる第２バスバー本体部９０Ｂａと、第２バスバー本体部９０Ｂａから径方向に延びる第２接続端子部９８Ｂと、を有する。  
【００３８】
第２バスバー本体部９０Ｂａは、平面視で略環状である。第２バスバー本体部９０Ｂａは、第２下側溝部７１ｂ内に配置される。第２バスバー本体部９０Ｂａは、第２下側溝部７１ｂ内に嵌め込まれる。  
【００３９】
第１バスバー本体部９０Ａａと第２バスバー本体部９０Ｂａとは、軸方向において、同じ位置にある。第１バスバー本体部９０Ａａと第２バスバー本体部９０Ｂａとは、径方向に重なる。  
【００４０】
第２接続端子部９８Ｂは、第２バスバー本体部９０Ｂａから径方向外側に延びる。この実施形態では、第２バスバー９０Ｂは、９つの第２接続端子部９８Ｂを有する。第２接続端子部９８Ｂは、周方向に沿ってほぼ等間隔に並ぶ。  
【００４１】
第２接続端子部９８Ｂは、第２延出部９６Ｂと、第２接続部９７Ｂと、を有する。すなわち、第２バスバー９０Ｂは、第２延出部９６Ｂと、第２接続部９７Ｂと、を有する。  
【００４２】
第２延出部９６Ｂは、第２バスバー本体部９０Ｂａから径方向に延びる。第２接続部９７Ｂは、第２延出部９６Ｂの径方向の端部に配置され、コイル端４３ｂと接続される。第２接続部９７Ｂの形状は、第１接続部９７Ａの形状と同様である。  
【００４３】
本実施形態において、第１接続部９７Ａと第２接続部９７Ｂとは、軸方向において、同じ位置にある。そのため、各接続部とコイル端４３ｂとを接続する軸方向の位置を同じにできる。これにより、モータ１０の製造時において、第１バスバー９０Ａおよび第２バスバー９０Ｂとコイル端４３ｂとの接続作業を容易に行うことができる。  
【００４４】
図３に示すように、第１バスバー９０Ａは、第２バスバー９０Ｂの上側に配置される上側配置部９９を有する。上側配置部９９は、第１接続端子部９８Ａａの一部である。より詳細には、上側配置部９９は、第１延出部９６Ａの一部である。  
【００４５】
そのため、コイル端４３ｂと接続される第１接続部９７Ａを第２バスバー９０Ｂと軸方向に重ならない位置に容易に配置することができる。これにより、第１接続部９７Ａとコイル端４３ｂとを容易に接続することができる。また、第１接続部９７Ａと、第２接続部９７Ｂと、を径方向において同じ位置に容易に配置することができ、各接続部とコイル端４３ｂとの接続作業を効率的に行うことができる。  
【００４６】
第２バスバー９０Ｂは、上側配置部９９と軸方向に重なる位置に、下側に窪むバスバー凹部９０Ｂｂを有する。そのため、上側配置部９９の軸方向位置を第２バスバー９０Ｂに近づけて配置しても、バスバー凹部９０Ｂｂによって、第１バスバー９０Ａと第２バスバー９０Ｂとの間の絶縁距離を確保できる。これにより、モータ１０が軸方向に長くなり、モータ１０が大型化することを抑制しつつ、複数のバスバー間の絶縁を確保できる。  
【００４７】
バスバー凹部９０Ｂｂは、第２バスバー本体部９０Ｂａに配置される。上述したように、上側配置部９９は、第１接続端子部９８Ａａの一部である。そのため、例えば、第１バスバー本体部９０Ａａと第２バスバー本体部９０Ｂａとが軸方向において同じ位置に配置される。そのような場合、第１接続端子部９８Ａａの軸方向位置が第１バスバー本体部９０Ａａの位置とほぼ同じだとしても、バスバー凹部９０Ｂｂによって、第１接続端子部９８Ａａと第２バスバー本体部９０Ｂａとの間の絶縁距離を確保できる。これにより、モータ１０が軸方向に長くなってモータ１０が大型化することをより抑制しつつ、複数のバスバー間の絶縁を確保できる。  
【００４８】
図４では、バスバー凹部９０Ｂｂの内部の径方向に視た形状は、上底が下底よりも長い台形状である。バスバー凹部９０Ｂｂの内部の径方向に視た形状は、特に限定されず、例えば、半円形状であってもよいし、半楕円形状であってもよいし、多角形状であってもよい。図３に示すように、バスバー凹部９０Ｂｂは、第２バスバー本体部９０Ｂａの径方向両側に開口する。  
【００４９】
図４に示すように、第２バスバー本体部９０Ｂａは、バスバー凹部９０Ｂｂと軸方向に重なる位置に、下側に突出するバスバー凸部９０Ｂｃを有する。そのため、第２バスバー本体部９０Ｂａにおけるバスバー凹部９０Ｂｂが配置される部分の軸方向の寸法を、第２バスバー本体部９０Ｂａにおけるバスバー凹部９０Ｂｂの周方向両側に配置される部分の軸方向の寸法と、同じにすることができる。  
【００５０】
例えば、バスバー凹部９０Ｂｂが設けられることにより第２バスバー本体部９０Ｂａの軸方向の寸法が部分的に小さくなると、バスバー凹部９０Ｂｂが配置される部分において、第２バスバー本体部９０Ｂａの周方向と直交する断面の面積が部分的に小さくなる。この場合、第２バスバー本体部９０Ｂａの電気抵抗が部分的に大きくなる。そのため、バスバー凹部９０Ｂｂが配置された部分においてより多く発熱し、第２バスバー本体部９０Ｂａにおけるバスバー凹部９０Ｂｂが配置される部分が高温となる虞がある。  
【００５１】
これに対して、バスバー凹部９０Ｂｂが配置された部分の軸方向の寸法を、バスバー凹部９０Ｂｂの周方向両側に配置される部分と同じとする、あるいは近づけることにより、第２バスバー本体部９０Ｂａにおける周方向と直交する断面の面積が部分的に小さくなることを抑制できる。したがって、第２バスバー本体部９０Ｂａにおけるバスバー凹部９０Ｂｂが配置される部分が高温となることを抑制できる。  
【００５２】
図４では、バスバー凸部９０Ｂｃの径方向に視た形状は、上底が下底よりも長い台形状である。バスバー凸部９０Ｂｃの径方向に視た形状は、特に限定されず、例えば、半円形状であってもよいし、半楕円形状であってもよいし、多角形状であってもよい。バスバー凸部９０Ｂｃの径方向に視た形状は、例えば、バスバー凹部９０Ｂｂの内部の径方向に視た形状と同様である。  
【００５３】
バスバー凸部９０Ｂｃの軸方向の寸法は、軸方向に重なるバスバー凹部９０Ｂｂの部分における軸方向の寸法と同じである。そのため、第２バスバー本体部９０Ｂａの径方向の寸法を均一にすることにより、バスバー凹部９０Ｂｂが配置される部分において、第２バスバー本体部９０Ｂａの周方向と直交する断面の面積を他の部分の断面の面積と、同じにすることができる。  
【００５４】
第２バスバー本体部９０Ｂａの周方向と直交する断面の面積は、バスバー凹部９０Ｂｂが位置する部分、およびバスバー凹部９０Ｂｂの周方向両側に位置する部分において、一様である。これにより、第２バスバー本体部９０Ｂａの一部の発熱量が部分的に増加し、第２バスバー本体部９０Ｂａの一部が高温となることを防止できる。  
【００５５】
本実施形態では、上側配置部９９は、バスバー凹部９０Ｂｂよりも上側に配置される。例えば、上側配置部９９がバスバー凹部９０Ｂｂ内に配置される場合、上側配置部９９と第２バスバー本体部９０Ｂａとの間の絶縁距離が短くなる虞がある。これに対して、上側配置部９９がバスバー凹部９０Ｂｂよりも上側に配置される場合、上側配置部９９と第２バスバー本体部９０Ｂａとの間の絶縁距離を十分に確保することができる。  
【００５６】
第２バスバー本体部９０Ｂａにおけるバスバー凹部が配置される部分が、鋭角に屈曲する場合、第１延出部９６Ａが第２バスバー本体部９０Ｂａ上を通過するために必要な幅のバスバー凹部を設けると、第２バスバー本体部９０Ｂａにおけるバスバー凹部が配置される面積の割合が大きくなる。そのため、例えば、第２バスバー本体部９０Ｂａの周方向と直交する断面の面積を一様にしにくい等によって、第２バスバー本体部９０Ｂａの製造工程が複雑化する場合がある。  
【００５７】
これに対して、図３に示される構造では、第２バスバー本体部９０Ｂａにおけるバスバー凹部９０Ｂｂが配置される部分は、湾曲する。そのため、第２バスバー本体部９０Ｂａにおけるバスバー凹部９０Ｂｂが配置される部分が、鋭角に屈曲する場合に比べて、第２バスバー本体部９０Ｂａにおけるバスバー凹部９０Ｂｂが配置される面積を小さくできる。これにより、第２バスバー本体部９０Ｂａの製造が容易になる。  
【００５８】
図４に示すように、下側バスバーホルダ７１は、下側に窪むホルダ凹部７７を有する。バスバー凸部９０Ｂｃの少なくとも一部は、ホルダ凹部７７内に配置される。そのため、バスバー凸部９０Ｂｃが設けられても、下側バスバーアッシー７０の軸方向の寸法が増加することを抑制できる。  
【００５９】
図４では、バスバー凸部９０Ｂｃの全体は、ホルダ凹部７７内に配置される。そのため、下側バスバーアッシー７０が軸方向に長くなることを、より抑制できる。ホルダ凹部７７の内部の形状は、バスバー凸部９０Ｂｃの形状と同じである。ホルダ凹部７７には、バスバー凸部９０Ｂｃの全体が嵌め込まれる。  
【００６０】
下側バスバーホルダ７１は、ホルダ凹部７７と軸方向に重なる位置に、下側に突出するホルダ凸部７６を有する。そのため、下側バスバーホルダ７１における、バスバー凸部９０Ｂｃの下側に配置される部分において、軸方向の寸法を大きくできる。これにより、バスバー凸部９０Ｂｃを絶縁しやすい。ホルダ凸部７６の径方向に視た形状は、矩形状である。  
【００６１】
図３に示すように、下側ホルダ筒部７３は、下側に窪む筒部凹部７３ａを有する。図３および図４に示すように、筒部凹部７３ａ内には、第１延出部９６Ａの一部が配置される。図３に示すように、外側周壁部７５は、下側に窪む第１周壁部凹部７５ａおよび第２周壁部凹部７５ｂを有する。第１周壁部凹部７５ａには、第１延出部９６Ａの一部が配置される。第２周壁部凹部７５ｂには、第２延出部９６Ｂの一部が配置される。  
【００６２】
第１延出部９６Ａは、筒部凹部７３ａおよび第１周壁部凹部７５ａを介して、第１バスバー本体部９０Ａａから外側周壁部７５よりも径方向外側に延びる。そのため、軸方向において第１延出部９６Ａが第１バスバー本体部９０Ａａの位置よりも上側に大きく延ばす必要がなく、下側バスバーアッシー７０を軸方向により短くでき、下側バスバーアッシー７０を小型化することができる。  
【００６３】
第２延出部９６Ｂは、第２周壁部凹部７５ｂを介して、第２バスバー本体部９０Ｂａから外側周壁部７５よりも径方向外側に延びる。そのため、軸方向において第２延出部９６Ｂが第２バスバー本体部９０Ｂａの位置よりも上側に大きく延ばす必要がなく、下側バスバーアッシー７０をより軸方向に短くすることができ、下側バスバーアッシー７０を小型化できる。  
【００６４】
上側配置部を上側に延ばして第２バスバー本体部との絶縁距離を確保する場合に、モータが軸方向に長くなって大型化することを抑制する方法として、下側バスバーアッ
シー全体をステータ４０に近づける方法がある。しかし、図３に示すように、下側バスバーホルダ７１の下側には、コイル４３が配置される。そのため、下側バスバーアッシー７０とステータ４０との軸方向の距離が小さくなると、コイル４３のコイル端４３ｂを這い回しにくい問題がある。  
【００６５】
これに対して、本実施形態によれば、バスバー凹部９０Ｂｂが設けられるため、上側配置部９９を上側に延ばすことなく、上側配置部９９と第２バスバー本体部９０Ｂａとの絶縁距離を確保できる。その結果、下側バスバーアッシー７０をステータ４０に近づけることなく、モータ１０が軸方向に長くなりモータ１０が大型化することを抑制できる。これにより、下側バスバーアッシー７０とステータ４０との軸方向の距離を適切に維持することができ、コイル端４３ｂを容易に這い回すことができる。  
【００６６】
また、本実施形態のようにホルダ凸部７６を設ける場合であっても、ホルダ凸部７６は上側配置部９９が配置される位置のみに部分的に設ければよい。そのため、モータ１０の組立時において、コイル端４３ｂを這い回す際に邪魔になりにくい。  
【００６７】
本発明は上述の実施形態に限られず、他の構成を採用することもできる。以下の説明において上記説明と同様の構成については、適宜同一の符号を付す等により説明を省略する場合がある。  
【００６８】
下側バスバーアッシー７０は、例えば、図５および図６に示す構成であってもよい。図５に示すように、上側配置部１９９の一部は、バスバー凹部９０Ｂｂ内に配置される。そのため、上側配置部１９９を第２バスバー本体部９０Ｂａに、より近づけることができる。これにより、下側バスバーアッシー１７０を軸方向に短くでき、下側バスバーアッシー１７０を小さくできる。したがって、モータ１０の軸方向の寸法を短くでき、モータ１０を小型化できる。  
【００６９】
なお、この構成においては、上側配置部１９９の少なくとも一部が、バスバー凹部９０Ｂｂ内に配置されてもよい。例えば、上側配置部１９９の全体が、バスバー凹部９０Ｂｂ内に配置されてもよい。この場合、下側バスバーアッシー１７０を軸方向により短くすることができ、下側バスバーアッシー１７０全体を小型化できる。したがって、モータ１０をより軸方向に小型化できる。  
【００７０】
図６に示すように、下側バスバーホルダ２７１は、下側バスバーホルダ２７１を軸方向に貫通するホルダ貫通孔２７７を有する。バスバー凸部９０Ｂｃの少なくとも一部は、ホルダ貫通孔２７７内に配置される。そのため、バスバー凸部９０Ｂｃが設けられても、下側バスバーアッシー２７０が軸方向に大きくなることを抑制できる。また、ホルダ凸部７６が設けられないため、下側バスバーアッシー２７０の寸法が軸方向に長くなり、下側バスバーアッシー２７０が大型化することを抑制できる。  
【００７１】
バスバー凸部９０Ｂｃの全体は、ホルダ貫通孔２７７内に配置される。バスバー凸部９０Ｂｃの下端は、第１コイルサポート２７２の下端よりも上側に配置される。そのため、バスバー凹部９０Ｂｂおよびバスバー凸部９０Ｂｃが設けられても、下側バスバーアッシー２７０が軸方向に長くなって大型化することがなく、かつ、第１バスバー９０Ａと第２バスバー９０Ｂとの間の絶縁を確保できる。  
【００７２】
ホルダ貫通孔２７７は、第１コイルサポート２７２に配置される。すなわち、ホルダ貫通孔２７７は、第１コイルサポート２７２を軸方向に貫通する孔である。ホルダ貫通孔２７７の内部の径方向に視た形状は、バスバー凸部９０Ｂｃとほぼ同様の形状である。  
【００７３】
なお、上側配置部９９は、第１接続端子部９８Ａａの全体であってもよい。すなわち、上側配置部９９が第１接続端子部９８Ａａの少なくとも一部であってもよい。また、上側配置部９９は、第１延出部９６Ａの全体であってもよい。すなわち、上側配置部９９が、第１延出部９６Ａの少なくとも一部であってもよい。  
【００７４】
第２バスバー本体部９０Ｂａでは、バスバー凸部９０Ｂｃが設けられる代わりに、バスバー凹部９０Ｂｂが配置される部分において、径方向の寸法が大きくなってもよい。例えば、この構成により、第２バスバー本体部９０Ｂａの周方向と直交する断面の面積を、バスバー凹部９０Ｂｂが配置される部分、およびバスバー凹部９０Ｂｂの周方向両側に配置される部分において一様としてもよい。  
【００７５】
ロータ３０におけるロータコアの数は、１つであってもよい。モータ１０は、例えば、アウターロータ型のモータであってもよい。  
【００７６】
上記の各構成は、相互に矛盾しない範囲内において、適宜組み合わせることができる。
【符号の説明】
【００７７】
１０  モータ、３０  ロータ、３１  シャフト、４０  ステータ、４３  コイル、４３ｂ  コイル端、７１  下側バスバーホルダ（バスバーホルダ）、７６  ホルダ凸部、７７  ホルダ凹部、９０Ａ  第１バスバー、９０Ｂ  第２バスバー、９９，１９９  上側配置部、２７７  ホルダ貫通孔、９０Ａａ  第１バスバー本体部、９０Ｂａ  第２バスバー本体部、９０Ｂｂ  バスバー凹部、９０Ｂｃ  バスバー凸部、９６Ａ  第１延出部、９６Ｂ  第２延出部、９７Ａ  第１接続部、９７Ｂ  第２接続部、９８Ａ  第１接続端子部、９８Ｂ  第２接続端子部、Ｊ  中心軸
【図１】
2017026413.tif 000003
【図２】
2017026413.tif 000004
【図３】
2017026413.tif 000005
【図４】
2017026413.tif 000006
【図５】
2017026413.tif 000007
【図６】
2017026413.tif 000008
【国際調査報告】
2017026413.tif 000009
2017026413.tif 000010